【事件の表示】
　平成１１年特許願第３６２８７８号「粘着材料移送装置」拒絶査定不服審判事件〔平成１３年　６月２６日出願公開、特開２００１−１７１８１８〕について、次のとおり審決する。
【結　論】
　本件審判の請求は、成り立たない。
【理　由】
１．手続の経緯、本願発明
　本願は、平成１１年１２月２１日の出願であって、平成２１年６月９日付けで拒絶理由が通知され、平成２１年７月１４日付けで意見書及び手続補正書が提出されたが、平成２１年８月４日付けで拒絶査定がなされ、これに対して、平成２１年１１月１３日付けで拒絶査定に対する審判請求がされるとともに、同時に手続補正書が提出されて、明細書を補正する手続補正がなされたものであり、その後、当審において平成２２年４月２日付けで書面による審尋がなされ、平成２２年５月１４日付けで回答書が提出され、平成２２年７月８日付けで平成２１年１１月１３日付けの手続補正を却下するとともに、平成２２年７月１６日付けで拒絶理由が通知され、平成２２年９月２１日付けで意見書及び手続補正書が提出され、明細書を補正する手続補正がなされたものであって、その請求項１に係る発明は、平成２２年９月２１日付けの手続補正書によって補正された明細書及び出願当初の図面の記載からみて、以下のものである（以下、「本願発明」という。）。
　「【請求項１】
一対の無端状チェーン間に所定の間隔でバーを取付けた無端状搬送体の外周に、ＪＩＳ Ｂ ０６０１で５０−Ｓ以上の凹凸を有して厚みが３０〜２００μmであるプラスチックシートが巻かれてその両端が接合されて装着され、無端状搬送体からプラスチックシートが着脱可能であり、
粘着材料（ＳＭＣ、ＢＭＣまたはＤＭＣ）を上記プラスチックシートに載せ、待機中の吸着盤の下方に向け移送され、吸着盤の直下で移送が停止され、その停止された粘着材料を吸着盤で吸着して、更に吸着盤の上昇により粘着材料が上記プラスチックシートから脱離されることを特徴とする粘着材料移送装置。」
　なお、特許請求の範囲の請求項１に記載される、凹凸に関する「ＪＩS0601-55で５０−S」は、「ＪＩＳ Ｂ ０６０１で５０−Ｓ」 の明らかな誤記であるから、上記のように認定した。                          
　　　　　
２．引用文献記載の発明
２．−１　引用文献１記載の発明
　当審の拒絶の理由に引用された実願平４−２８４６５号（実開平５−８６９１４号）のＣＤ−ＲＯＭ（以下、「引用文献１」という。）には、例えば、以下のような記載がある。
　　　
ア．「【０００１】
  【産業上の利用分野】
  本考案は、粘着性材料、例えば、強化プラスチックの成形材料であるＳＭＣなどを搬送する搬送装置に関するものである。
【０００２】
  【従来の技術】
  従来より、浴槽などの強化プラスチック製品を製造するための成形材料としてＳＭＣ（シートモールディングコンパウンド）が広く使用されている。このＳＭＣは、液状の不飽和ポリエステル樹脂にチョップドストランドなどの補強材、充填材および増粘材を添加し、流動性を失わせてシート状としたもので、粘着性を有している。このため、通常ＳＭＣ１は、図４および図５に示すように、その上面および下面をＳＭＣ１の幅よりも大きな幅のポリエチレンなどのフィルム２，２で覆ってＳＭＣシート１Ｓに形成され、さらに、芯管３に巻き付けてＳＭＣロール体１Ｒに形成されている。
【０００３】
  そして、ＳＭＣロール体１Ｒを図示しないシートカッターにセットしてＳＭＣシート１Ｓを繰り出し、その上側フィルム２および下側フィルム２を剥離した後、所定の長さに切断し、このカットされたＳＭＣ（以下、カット状ＳＭＣという。）をベルトコンベアやスラットコンベアによって所定位置に搬送するようになっている。」（段落【０００１】ないし【０００３】）
　　　
イ．「【０００７】
  【課題を解決するための手段】
  本考案は、一対の無端状ローラチェーンと、これら一対のローラチェーンに所定間隔でその左右端部が連結された多数本の管状部材と、これらの無端状ローラチェーンおよび管状部材からなる搬送体を駆動する駆動装置と、多数本の管状部材の周囲を覆うシートカバーとから構成され、このシートカバーは、シート本体の一端側表面と他端側裏面に面ファスナーを設けるとともに、その一方端にフックを設けてなり、シートカバーのフックを任意の管状部材に係合し、多数本の管状部材の周囲を覆ったシートカバーの両端を面ファスナーを介して接続できるように構成したことを特徴とするものである。
【０００８】
  【作用】
  任意の管状部材にシートカバーのフックを係合させて駆動装置を作動させ、フックを係合した管状部材が一周して元の位置に戻れば駆動装置を停止する。そして、シートカバーの一端側表面と他端側表面にそれぞれ設けた面ファスナーを止着してその両端を接続することにより、搬送体を構成する多数本の管状部材の周囲をシートカバーによって覆うことができる。」（段落【０００７】及び【０００８】）
　　　　
ウ．「【００１０】
  【実施例】
  以下、本考案の実施例を図面を参照して説明する。
【００１１】
  １０は本考案の搬送装置としてのシートカッターコンベアであり、このシートカッターコンベア１０は、図示しないシートカッターに隣接して設けられ、シートカッターで切断されたカット状ＳＭＣ１ａを所定位置まで搬送するものである。そして、シートカッターコンベア１０は、無端状の搬送体１１、この搬送体１１の駆動装置および搬送体１１の周囲を覆うシートカバー２０から構成されている。
【００１２】
  搬送体１１は、図１および図２に示すように、一対の無端状ローラチェーン１２，１２と、これらの無端状ローラチェーン１２，１２に所定間隔でその左右両端が固定された多数本のパイプなどの管状部材１３からなり、この搬送体１１は駆動装置によって循環移動するようになっている。
【００１３】
  次に、搬送体１１の駆動装置について説明すると、前後方向（図１における左右方向）に所定距離隔ててそれぞれ左右一対の軸受１４がそれぞれ設けられており、一対の軸受１４，１４によってそれぞれ回転軸１５が回転自在に軸支されている。そして、各回転軸１５の両端には搬送体１１のローラチェーン１２を懸回するスプロケット１６，１６が固定されている。なお、一方の回転軸１５にはスプロケット１７が設けられており、このスプロケット１７は図示しないモータ減速機の出力軸に固定されたスプロケットとの間にチェーン１８が懸回されている。この結果、モータ減速機を駆動することにより、一方の回転軸１５およびスプロケット１６を介して搬送体１１を循環移動させることができる。【００１４】
  なお、管状部材１３を安定して循環させるため、ローラチェーン１２を構成するローラは、回転軸１５，１５間に設けられたガイドレール１９，１９によって案内支持されている（図２参照）。
【００１５】
  一方、シートカバー２０は、図３に示すように、先端側の表面と基端側の裏面にそれぞれ面ファスナー２１，２１が取り付けられたシート本体２２と、このシート本体２２の一端に設けられたフック２３からなり、面ファスナー２１を形成するフックテープとループテープを止着することにより、シートカバー２０におけるシート本体２２の両端を接続して搬送体１１の周囲を覆う無端状のシートカバー２０を形成することができるものである。
【００１６】
  このようなシートカバー２０を搬送体１１に取り付けるには、まず、シートカバー２０のフック２３を任意の管状部材１３に係合させ、図示しないモータ減速機を駆動させると、回転軸１５およびスプロケット１６を介して搬送体１１が循環移動することから、この搬送体１１の循環移動にシートカバー２０も追従して移動する。そして、フック２３を係合した管状部材１３が一周して元の位置に戻れば、モータ減速機の駆動を停止し、シートカバー２０におけるシート本体２２の両端を面ファスナー２１，２１を介して接続する。この結果、搬送体１１の周囲をシートカバー２０によって覆うことができ、カット状ＳＭＣ１ａを供給しても、搬送体１１にＳＭＣの微小断片が付着することはない。
【００１７】
  一方、ＳＭＣ１の品種を切り換える場合、あるいは色を替える場合には、使用中のシートカバー２０の両端を接続している面ファスナー２１，２１を剥がし、フック２３を管状部材１３から離脱させてシートカバー２０をシートカッターコンベア１０から離脱させた後、新たなシートカバー２０を前述した要領で取り付ければよい。
【００１８】
  なお、シートカバー２０におけるカバー本体２２の、ＳＭＣ１の搬送面となる表面に離型性を向上させるため、フッ素樹脂コーティングなどの表面処理を施すこともできる。」
　（段落【００１０】ないし【００１８】）
　　　
　上記ア．ないしウ．及び図面の記載を参酌すると、引用文献１には以下の発明が記載さされているといえる。
　「一対の無端状ローラチェーン１２，１２間に所定の間隔で管状部材１３を取付けた無端状の搬送体１１の外周に、フッ素樹脂コーティングなどの表面処理を施したシートカバー２０が巻かれてその両端が接合されて装着され、無端状の搬送体１１からフッ素樹脂コーティングなどの表面処理を施したシートカバー２０が着脱可能であり、
粘着性材料（ＳＭＣ１など）を上記フッ素樹脂コーティングなどの表面処理を施したシートカバー２０に載せ搬送する粘着性材料搬送装置。」（以下、「引用文献１記載の発明」という。）
　　　
２．−２　引用文献２記載の発明
　当審の拒絶の理由に引用された特開平４−２９０７１１号公報（以下、「引用文献２」という。）には、例えば、以下のような記載がある。
　
ア．「【０００１】
【産業上の利用分野】本発明は、粘着性材料、例えば、強化プラスチックの成形材料であるＳＭＣなどを搬送する搬送装置に関するものである。」（段落【０００１】）
　　　
イ．「【００１１】
【実施例】以下、本発明の実施例を図面を参照して説明する。
【００１２】１０は本発明の搬送装置としてのシートカッターコンベアであり、このシートカッターコンベア１０は、後述するようにシートカッター３０に隣接して設けられ、シートカッター３０で切断されたカット状ＳＭＣ１ａを所定位置まで搬送するものである。そして、シートカッターコンベア１０は、カット状ＳＭＣ１ａをより小さな接触面積で搬送できる無端状の搬送体１１を備えている。
【００１３】すなわち、搬送体１１は、図１および図２に示すように、一対の無端状ローラチェーン１２，１２と、これらの無端状ローラチェーン１２，１２に所定間隔でその左右両端が固定された多数本のパイプなどの管状部材１３から構成されている。そして、この搬送体１１は駆動装置によって駆動される。
【００１４】この駆動装置について説明すると、搬送体１１の前後方向（図１における左右方向）には、それぞれ一対の軸受１４、１４によって回転自在に軸支された回転軸１５，１５が配置されており、各回転軸１５には搬送体１１のローラチェーン１２を懸回するスプロケット１６，１６が固定されている。なお、一方の回転軸１５にはスプロケット１７が設けられており、このスプロケット１７は図示しないモータ減速機の出力軸に固定されたスプロケットとの間にチェーン１８が懸回されている。この結果、図示しないモータを駆動することにより、一方の駆動軸１５およびスプロケット１６を介して搬送体１１が駆動し、その管状部材１３上に載置されたカット状ＳＭＣ１ａを前後方向に搬送することができる。
【００１５】なお、管状部材１３上に載置されるカット状ＳＭＣ１ａを安定して搬送するため、ローラチェーン１２を構成するローラは、回転軸１５，１５間に設けられたガイドレール１９，１９によって案内支持されている（図２参照）。
【００１６】この場合、シートカッターコンベア１０に搬入されたカット状ＳＭＣ１ａは、搬送体１１の管状部材１３に線接触状態で支持され、さらに、管状部材１３には突起などの角部がないことから、管状部材１３に対するカット状ＳＭＣ１ａの接触面積は可及的に小さくなり、汚れの程度が大幅に減少するものである。
【００１７】さらに、付着したＳＭＣ１との離型性を良好に維持するため、管状部材１３の表面にテフロンコーティングなどの表面処理を施すこともできる。その際には、後述する清掃具２０による清掃時、管状部材１３に付着したＳＭＣ１を容易に除去することができる。
【００１８】また、カット状ＳＭＣ１ａと干渉しない位置、例えば、搬送体１１の搬送端には、管状部材１３に接触するように清掃具２０が配置されている。この清掃具２０は、例えば、ブラシやモップあるいは弾力性のある布から構成され、管状部材１３の略全幅にわたって設けられている。したがって、カット状ＳＭＣ１ａの搬送時、管状部材１３が移動すると、その表面は順次清掃具２０に接触する結果、その表面に付着したＳＭＣ１は乾燥して変質しない間に連続的に、かつ、自動的に除去されるものである。そして、この清掃作業に際してカット状ＳＭＣ１ａの搬送を中断する必要はなく、生産効率を向上させる利点もある。」（段落【００１１】ないし【００１８】）
　　
ウ．「【００２０】ところで、図３には、シートカッターコンベア１０とともに、このシートカッターコンベア１０にカット状ＳＭＣ１ａを供給するシートカッター３０およびシートカッターコンベア１０の所定位置に搬送されたカット状ＳＭＣ１ａを図示しない計量器に集積する移載集積機４０が合わせて示されている。
【００２１】以下、これらのシートカッター３０および移載集積機４０について説明する。
【００２２】シートカッター３０は、ＳＭＣロール体１Ｒの芯管３を回転自在に支持する受け台３１と、この受け台３１に支持されて接続テーブル３２上に引き出されたＳＭＣシート１Ｓを上下方向から挟み込んで下流側に繰り出す一対のピンチロール３３，３３と、このピンチロール３３の繰り出し側で剥離されたフィルム２，２を巻き取る巻取りロール３４，３４と、ＳＭＣ１を幅方向（図３の紙面に直交する方向）に切断する切断刃３５とより構成されている。
【００２３】そして、詳細には図示しないが、ピンチロール３３，３３を駆動モータによって互いに逆方向に回転駆動させることにより、ＳＭＣシート１Ｓを挾持して下流側に繰り出すことができる。この際、シートカッター３０の接続テーブル３２は、シートカッターコンベア１０の搬送体１１と連続するように配設されていることから、ピンチロール３３，３３によって繰り出されたＳＭＣ１は、切断刃３５によって所定長さに切断され、この切断されたカット状ＳＭＣ１ａはシートカッターコンベア１０に供給される。
【００２４】移載集積機４０は、シートカッターコンベア１０の上方に配置されており、シートカッターコンベア１０によってその所定位置まで搬送されたカット状ＳＭＣ１ａを図示しない計量器まで搬送するものである。この移載集積機４０は、シートカッターコンベア１０と計量器の間を移動自在であり、かつ、昇降自在なフレーム４１に多数の吸着具４２を備えて構成されている。したがって、カット状ＳＭＣ１ａを吸着して計量器まで搬送し、吸着具４２に作用する真空圧を解除すれば、カット状ＳＭＣ１ａを計量器上に落下させることができる。このようにして順次集積されたカット状ＳＭＣ１ａは、図示しない成形型に供給される。」
（段落【００２０】ないし【００２４】）
　　
エ．「【００２５】
【発明の効果】以上のように本発明によれば、管状部材を備えた搬送体によって粘着性材料を支持しつつ搬送し、さらに、管状部材に接触する清掃具を設けたことにより、粘着性材料との接触面積が可及的に縮小すると同時に、角部によって粘性材料を掻き取ることもなく、粘着性材料が付着することによる汚れを大幅に低減することができる。しかも、搬送作業を中断することなく粘着性材料による汚れを連続的に、かつ、自動的に除去することができる。」（段落【００２５】）
　　
　上記ア．ないしエ．及び図面の記載を参酌すると、引用文献２には以下の発明が記載されているといえる。
　「一対の無端状ローラチェーン１２，１２間に所定の間隔で管状部材１３を取付けた無端状の搬送体１１において、粘着性材料（ＳＭＣなど）を上記無端状の搬送体１１に載せ、吸着盤の下方に向け移送され、粘着性材料（ＳＭＣなど）を吸着具４２で吸着して、更に吸着具４２の上昇により粘着性材料（ＳＭＣなど）が上記無端状の搬送体１１から脱離される粘着性材料の搬送装置。」（以下、「引用文献２記載の発明」という。）
  　
３．対比
　そこで、本願発明と引用文献１記載の発明とを対比すると、引用文献１記載の発明における「一対の無端状ローラチエーン１２，１２」は、その機能及び目的からみて、本願発明における「一対の無端状チェーン」に相当し、同様に、「管状部材１３」は「バー」に、「無端状の搬送体１１」は「無端状搬送体」に、「粘着性材料（ＳＭＣ１など）」は「粘着材料（ＳＭＣ、ＢＭＣまたはＤＭＣ）」に、「粘着性材料の搬送装置」は「粘着材料移送装置」に、「フッ素樹脂コーティングなどの表面処理を施したシートカバー２０」は「プラスチックシート」に、「シート」である限りにおいて相当するから、本願発明と引用文献１記載の発明とは
　「一対の無端状チェーン間に所定の間隔でバーを取付けた無端状搬送体の外周に、シートが巻かれてその両端が接合されて装着され、無端状搬送体からシートが着脱可能であり、
粘着材料（ＳＭＣ、ＢＭＣまたはＤＭＣ）を上記シートに載せ、移送される粘着材料移送装置。」の点で一致し、以下の点で相違する。
〈相違点〉　
（１）相違点１
　「シート」に関して、本願発明においては、「ＪＩＳ Ｂ ０６０１で５０−Ｓ以上の凹凸を有して厚みが３０〜２００μmであるプラスチックシート」であるのに対して、引用文献１記載の発明においては、「フッ素樹脂コーティングなどの表面処理を施したシート」であるものの、本願発明のように特定されていない点（以下、「相違点１」という。）。
　　
（２）相違点２　
　本願発明においては、粘着材料（ＳＭＣ、ＢＭＣまたはＤＭＣ）をシートに載せ、待機中の吸着盤の下方に向け移送され、吸着盤の直下で移送が停止され、その停止された粘着材料を吸着盤で吸着して、更に吸着盤の上昇により粘着材料が上記シートから脱離されるのに対して、引用文献１記載の発明においては、そのように特定されていない点（以下、「相違点２」という。）。
　
 ４．判断
（１）相違点１について
　一般に、粘着材料をベルトコンベア等に載せて搬送するにあたって、粘着材料のベルトコンベア等からの脱離を考慮してベルトコンベアのベルト等に凹凸を設けることは周知の技術（例えば、当審拒絶理由でも提示した特開平８−１３３２５８号公報参照。以下、「周知技術１」という。）であり、また、ＳＭＣなどを搬送する際のシートとしては、通常プラスチックシートが用いられている。そして、引用文献１の段落【００１８】に「シートカバー２０におけるカバー本体２２の、ＳＭＣ１の搬送面となる表面に離型性を向上させるため、フッ素樹脂コーティングなどの表面処理を施すこともできる。」と記載されるように、引用文献1記載の発明においてもシートからの粘着性材料の脱離性等を考慮していることから、引用文献1記載の発明における「シートカバー２０」に代えて、上記周知技術１を適用することは当業者が容易に推考し得るものであって、その際に、使用する粘着材料あるいはシートの材料の属性を考慮して、シートをプラスチックシートにして、当該プラスチックシートの凹凸の程度と厚みを決定することは、当業者の単なる設計上の問題にすぎないものである。
    　　
（２）相違点２について
　本願発明と引用文献２記載の発明と対比すると、引用文献２記載の発明における「一対の無端状ローラチエーン１２，１２」は、その機能及び目的からみて、本願発明における「一対の無端状チェーン」に相当し、同様に、「管状部材１３」は「バー」に、「無端状の搬送体１１」は「無端状搬送体」に、「粘着性材料（ＳＭＣ１など）」は「粘着材料（ＳＭＣ、ＢＭＣまたはＤＭＣ）」に、「粘着性材料の搬送装置」は「粘着材料移送装置」に、「吸着具４２」は「吸着盤」に相当するから、引用文献２記載の発明を本願発明における用語を用いて記載すると「一対の無端状チェーン間に所定の間隔でバーを取付けた無端状搬送体において、粘着材料（ＳＭＣ、ＢＭＣまたはＤＭＣ）を上記無端状搬送体に載せ、吸着盤の下方に向け移送され、粘着材料を吸着盤で吸着して、更に吸着盤の上昇により粘着材料が上記無端状搬送体から脱離される粘着材料移送装置。」となる。
　一方、粘着シートをベルトコンベア等の無担状搬送体に搭載される物品を吸着盤で移送するにあたって、待機中の吸着盤の下方に移送し、吸着盤の真下で移送が停止され、その停止された物品を吸着して移送させることは、周知の搬送手法(以下、「周知技術２」という。）である。そして、引用文献１記載の発明及び引用文献２記載の発明は、共に本願発明と同様の粘着性材料移送装置に関するものであって、引用文献１記載の発明に引用文献２記載の発明を適用する際に、上記周知技術２を考慮して相違点２に係る本願発明のように特定することは、当業者が容易に推考し得るものである。
　　　
　また、本願発明を全体として検討しても、引用文献１記載の発明、引用文献２記載の発明及び周知技術１、２から予測される以上の格別の効果を奏するとも認めることができない。
　　
５．むすび
　したがって、本願発明は、引用文献１記載の発明、引用文献２記載の発明及び周知技術１、２に基づいて当業者が容易に発明をすることができたものであるから、特許法第２９条第２項の規定により特許を受けることができない。
　よって、結論のとおり審決する。